(57)【要約】  検証装置が、一連の信号の入力を可能にする前に認可された生体の存在を必要とすることによる識別及び認可方法を提供する。さらに、この装置は、誤った入力を認識して、装置の位置が特定されるまで無許可ユーザにアクセスが認可されたと思わせるように、制限機能を提供しながらアラートコードを送信することによって応答するように構成することができる。【選択図】      図１
2018515830.tif 000002
【特許請求の範囲】
【請求項１】
検証装置であって、
少なくとも１つの指紋センサパッドと、
前記少なくとも１つの指紋センサパッドの第１の側面に位置する少なくとも１つの第１の感圧センサと、前記少なくとも１つの指紋センサパッドの第２の側面に位置する少なくとも１つの第２の感圧センサとを含む複数の感圧センサと、
を備え、前記第１の側面及び前記第２の側面は、前記指紋センサパッドの両側に位置し、前記少なくとも１つの第１の感圧センサ及び前記少なくとも１つの第２の感圧センサは、前記少なくとも１つの指紋センサパッドに接触して配置された指が、前記少なくとも１つの第１の感圧センサの方向又は前記少なくとも１つの第２の感圧センサの方向に回動することによって、前記少なくとも１つの第１の感圧センサのみ又は前記少なくとも１つの第２の感圧センサのみを作動させるように配置される、
ことを特徴とする検証装置。
【請求項２】
前記指の指紋が肯定的に識別された旨を示すように点灯するインジケータをさらに含む、
請求項１に記載の検証装置。
【請求項３】
前記指の指紋が確認されない旨を示すように点灯するインジケータをさらに含む、
請求項１に記載の検証装置。
【請求項４】
前記指の指紋が識別されなかった旨を示すように点灯するインジケータをさらに含む、
請求項１に記載の検証装置。
【請求項５】
少なくとも１つの指紋センサパッドと、指の動きを識別するように配置された少なくとも１つのセンサとを含み、前記少なくとも１つの指紋センサパッドによって受け取られた指紋データからユーザを識別し、該識別に基づいて前記少なくとも１つのセンサを作動させるように構成されるとともに、前記指紋データを含む信号と、前記少なくとも１つのセンサからの信号とを送信するようにさらに構成された検証装置と、
前記指紋データを受け取り、該指紋データに基づいて前記ユーザの識別を行い、前記少なくとも１つのセンサからの信号が前記システムへのユーザアクセスを認可するものであるかどうかを判定し、前記信号が認可されたアクセスコードに対応するとの判定時に前記アクセスを可能にするように構成されたプロセッサと、
を備えることを特徴とするシステム。
【請求項６】
前記プロセッサは、前記信号がアラートコードを示すとの判断時に、地上通信線、インターネット及び無線通信装置のうちの少なくとも１つを介してアラートを送信する、
請求項５に記載のシステム。
【請求項７】
前記プロセッサは、前記アラートの送信後に、前記システムの動作に少なくとも１つの遅延イベントを引き起こす、
請求項６に記載のシステム。
【請求項８】
前記プロセッサは、前記アラートの送信後に、前記システムの動作に複数の遅延イベントを引き起こす、
請求項６に記載のシステム。
【請求項９】
前記プロセッサは、前記アラートの送信後に、前記システムの制限機能を可能にする、
請求項６に記載のシステム。
【請求項１０】
前記プロセッサは、前記アラートの送信後に、前記アラートが送信された旨の、前記ユーザに見える指示を表示する、
請求項６に記載のシステム。
【請求項１１】
前記プロセッサは、前記信号がアラートコードを示すとの判断時に前記システムの制限機能を可能にする、
請求項５に記載のシステム。
【請求項１２】
前記プロセッサは、前記アラートの送信後に、前記システムの動作に少なくとも１つの遅延イベントを引き起こす、
請求項１１に記載のシステム。
【請求項１３】
前記少なくとも１つのセンサは、複数のセンサである、
請求項５に記載のシステム。
【請求項１４】
前記複数のセンサの各センサは、前記認可されたアクセスコードの入力中に少なくとも１回作動しなければならない、
請求項１３に記載のシステム。
【請求項１５】
前記少なくとも１つのセンサは、圧力センサである、
請求項５に記載のシステム。
【請求項１６】
前記圧力センサの作動は、作動時間の長さと作動の力とを含む、
請求項１５に記載のシステム。
【請求項１７】
生体認証システムであって、
プロセッサと、
ユーザからの生体入力を受け入れ、該生体入力を前記プロセッサに送信するように構成された生体入力装置と、
を備え、前記プロセッサは、前記生体入力から前記ユーザの身元を特定するように構成され、前記生体認証システムは、
前記識別されたユーザからのコードを受け入れ、前記ユーザの前記識別及び前記コードに基づいて少なくとも１つの機能を提供するように構成された入力コード装置をさらに備える、
ことを特徴とする生体認証システム。
【請求項１８】
前記生体入力装置は、掌スキャナである、
請求項１７に記載の生体認証システム。
【請求項１９】
前記生体入力装置は、眼球スキャナである、
請求項１７に記載の生体認証システム。
【請求項２０】
前記生体入力装置は、顔認証システムである、
請求項１７に記載の生体認証システム。
【請求項２１】
前記生体入力装置は、指紋スキャナである、
請求項１７に記載の生体認証システム。
【請求項２２】
前記入力コード装置は、タッチ画面である、
請求項１７に記載の生体認証システム。
【請求項２３】
前記入力コード装置は、キーパッドである、
請求項１７に記載の生体認証システム。
【請求項２４】
前記キーパッドは、数字キーパッドである、
請求項２３に記載の生体認証システム。
【請求項２５】
前記キーパッドは、複数の色分けされたボタンを含む、
請求項２３に記載の生体認証システム。
【請求項２６】
前記色分けされたボタンの色は、ＬＥＤによって提供される、
請求項２５に記載の生体認証システム。
【請求項２７】
前記入力コード装置は、複数の圧力センサである、
請求項１７に記載の生体認証システム。
【請求項２８】
前記入力コード装置は、モーションセンサである、
請求項１７に記載の生体認証システム。
【請求項２９】
前記入力コード装置は、撮像装置である、
請求項１７に記載の生体認証システム。
【請求項３０】
前記入力コード装置は、一連の生体入力を含む、
請求項１７に記載の生体認証システム。
【請求項３１】
前記一連の生体入力は、一連の指紋である、
請求項３０に記載の生体認証システム。
【請求項３２】
前記入力コード装置は、顔表情識別装置を含む、
請求項１７に記載の生体認証システム。
【請求項３３】
前記入力コード装置は、瞬き識別装置を含む、
請求項１７に記載の生体認証システム。
【請求項３４】
前記機能は、システムへのフルアクセスである、
請求項１７に記載の生体認証システム。
【請求項３５】
前記システムは、車両、ＡＴＭ、販売時点情報管理装置、金庫、電子装置及びドアのうちの１つである、
請求項３４に記載の生体認証システム。
【請求項３６】
前記機能は制限機能であり、該制限機能は、アラート信号の送信を含む、
請求項１７に記載の生体認証システム。
【請求項３７】
制限機能は、金銭へのアクセスを抑制する、
請求項３６に記載の生体認証システム。
【請求項３８】
制限機能は、前記機能の動作に時間的な遅延を引き起こす、
請求項３６に記載の生体認証システム。
【請求項３９】
制限機能は、少なくとも１つのディスプレイの虚偽の読み取りを引き起こす、
請求項３６に記載の生体認証システム。
【請求項４０】
制限機能は、車両の動作を停止させる、
請求項３６に記載の生体認証システム。
【請求項４１】
前記機能は、アラート信号である、
請求項１７に記載の生体認証システム。
【発明の詳細な説明】
【技術分野】
【０００１】
本開示は、ユーザからの生体入力を一意的に使用してユーザの身元を識別した後に、ユーザによる機器、装置又はシステムへのアクセスを認可するように構成されたシステム及び装置に関する。
【背景技術】
【０００２】
ユーザによる建物、場所、機器、装置などへのアクセスを認可する装置が存在し、これらは組み合わせロック、キーコード、パスワードなど様々である。最近では、認可者の身元を識別するために、指紋スキャン及び眼球スキャンを含む生体入力が使用されている。
【発明の概要】
【課題を解決するための手段】
【０００３】
本開示は、少なくとも１つの指紋センサパッドと、複数の感圧センサとを含む検証装置を提供する。少なくとも１つの指紋センサパッドの第１の側面には、少なくとも１つの第１の感圧センサが位置し、少なくとも１つの指紋センサパッドの少なくとも１つの第１の感圧センサからの第２の側面には、少なくとも１つの第２の感圧センサが位置する。少なくとも１つの第１の感圧センサ及び少なくとも１つの第２の感圧センサは、少なくとも１つの指紋センサパッドに接触して配置された指が、少なくとも１つの第１の感圧パッドの方向又は少なくとも１つの第２の感圧パッドの方向に回動することによって、少なくとも１つの第１の感圧パッドのみ又は少なくとも１つの第２の感圧パッドのみを作動させるように配置される。
【０００４】
本開示は、検証装置と、プロセッサとを含むシステムも提供する。検証装置は、少なくとも１つの指紋センサパッドと、少なくとも１つのセンサとを含む。検証装置は、少なくとも１つの指紋センサパッドによって受け取られた指紋データからユーザを識別し、この識別に基づいて少なくとも１つのセンサを作動させるように構成される。少なくとも１つのセンサは、指の動きを識別するように配置される。検証装置は、指紋データを含む信号と、少なくとも１つのセンサからの信号とを送信するようにさらに構成される。プロセッサは、指紋データを受け取り、指紋データに基づいてユーザの識別を行い、少なくとも１つのセンサからの信号がシステムへのユーザアクセスを認可するものであるかどうかを判定し、信号が認可されたアクセスコードに対応するとの判定時にこのようなアクセスを可能にするように構成される。
【０００５】
本開示は、プロセッサと、生体入力装置と、入力コード装置とを含む生体認証システムも提供する。生体入力装置は、ユーザからの生体入力を受け入れ、この生体入力をプロセッサに送信するように構成される。プロセッサは、生体入力からユーザの身元を特定するように構成される。入力コード装置は、識別されたユーザからのコードを受け入れ、ユーザの識別及びコードに基づいて少なくとも１つの機能を提供するように構成される。
【０００６】
以下の例示的な実施形態についての詳細な説明を添付図面と併せて見れば、本開示の実施形態の利点及び特徴がさらに明らかになるであろう。
【図面の簡単な説明】
【０００７】
【図１】本開示の例示的な実施形態による検証装置の平面図である。
【図２】図１の検証装置の第１の端面図である。
【図３】図１の検証装置の第２の端面図である。
【図４】図１の検証装置の斜視図である。
【図５】本開示の例示的な実施形態による複数の圧力センサ入力部の図である。
【図６】本開示の例示的な実施形態による検証装置を組み込んだ電子装置の平面図である。
【図７】図６の電子装置の側面図である。
【図８】図６の電子装置の端面図である。
【図９】図６の電子装置の斜視図である。
【図１０】本開示の例示的な実施形態による検証装置を組み込んだ別の電子装置の平面図である。
【図１１】本開示の例示的な実施形態による検証装置の処理フローを示す図である。
【図１２】本開示の別の例示的な実施形態による検証装置の斜視図である。
【図１３】本開示の例示的な実施形態による検証装置を組み込んだシステムのブロック図である。
【図１４】本開示の別の例示的な実施形態による検証装置の処理フローを示す図である。
【図１５】本開示の例示的な実施形態による図１４の処理フローの遅延処理を示す図である。
【図１６】本開示の例示的な実施形態による検証装置の平面図である。
【図１７】図１６の検証装置の線１７−１７に沿った断面図である。
【図１８】図１６の検証装置のさらなる図である。
【図１９】図１８の検証装置の線１９−１９に沿った断面図である。
【図２０】図１６の検証装置のさらに別の図である。
【図２１】図２０の検証装置の線２１−２１に沿った断面図である。
【図２２】本開示の例示的な実施形態による検証装置の平面図である。
【図２３】図２２の検証装置の線２３−２３に沿った断面図である。
【図２４】図２２の検証装置のさらなる図である。
【図２５】図２４の検証装置の線２５−２５に沿った断面図である。
【図２６】図２２の検証装置のさらに別の図である。
【図２７】図２６の検証装置の線２６−２６に沿った断面図である。
【図２８】本開示の例示的な実施形態による検証装置の平面図である。
【図２９】図２８の検証装置の線２９−２９に沿った断面図である。
【図３０】本開示の例示的な実施形態による検証装置を組み込んだシステムを示す図である。
【図３１】図３０の検証装置の図である。
【図３２】図３０のアラート装置又は機器を示すさらなる図である。
【図３３】本開示の例示的な実施形態による検証装置を組み込んだシステムの図である。
【図３４】図３３の検証装置の図である。
【図３５】本開示の例示的な実施形態による検証装置を組み込んだシステムの図である。
【図３６】図３５の検証装置の図である。
【図３７】本開示の例示的な実施形態による検証装置を組み込んだ別のシステムの図である。
【図３８】図３７の検証装置の図である。
【図３９】本開示の例示的な実施形態による検証装置を組み込んださらに別のシステムの図である。
【図４０】本開示の例示的な実施形態による検証装置の平面図である。
【図４１】図４０の検証装置の断面図である。
【図４２】図４１の検証装置のさらなる断面図である。
【図４３】本開示の例示的な実施形態による検証装置の平面図である。
【図４４】図４３の検証装置の図である。
【図４５】図４３の検証装置を示すさらなる図である。
【図４６】本開示の例示的な実施形態による検証装置を組み込んださらなるシステムの図である。
【図４７】図４６の検証装置の図である。
【図４８】本開示の例示的な実施形態による検証装置の図である。
【図４９】図４８の検証装置の図である。
【図５０】図４８の検証装置を示すさらなる図である。
【図５１】図４８の検証装置のさらに別の図である。
【図５２】本開示の例示的な実施形態による検証装置の図である。
【図５３】図５２の検証装置を示すさらなる図である。
【図５４】図５２の検証装置のさらに別の図である。
【図５５】本開示の例示的な実施形態による検証装置の図である。
【図５６】図５５の検証装置を示すさらなる図である。
【図５７】図５５の検証装置のさらに別の図である。
【図５８】本開示の例示的な実施形態による燃料計の図である。
【図５９】本開示の例示的な実施形態による車両の図である。
【図６０】本開示の例示的な実施形態による別の車両の図である。
【図６１】本開示の例示的な実施形態による別の検証装置の図である。
【発明を実施するための形態】
【０００８】
個人の識別を行うと同時に、これらの個人による文書、機器、場所、建物、金融取引、購入などへのアクセスを認可する様々な装置が提案されている。識別は、指紋、声紋及び眼球スキャンによって行われ、識別時の認可は、例えばパスワード、組み合わせなどによって行われている。しかしながら、識別は、例えば画像又は肖像に指紋を転送することによってスプーフィングされる可能性もあり、認可はハッキングされる可能性がある。本開示の検証装置は、改善された識別及び認可方法を提供し、一連の信号を供給している間又はその前に認可済みの生体情報の存在を必要とすることによって、パスワード、組み合わせ、部屋へのアクセス及び住宅を含む建物へのアクセスなどの従来の識別及び認可に取って代わるものである。本明細書に開示する検証装置は、指紋、網膜スキャン、手形などの一意の生体入力とユーザの脳からの入力との組み合わせを必要とするので、生体検証装置と呼ぶこともできる。さらに、本明細書に開示する検証装置は、ユニークユーザを識別した後に識別を認証するように機能するので、認証装置と呼ぶこともできる。開示する装置は、識別及び認証に加え、誤った入力を認識して、警察、ＦＢＩ、軍隊、治安部隊などのセキュリティエンティティがアラートコードに対応できるまで無許可のユーザにアクセスが認められたと確信させるように、限られた機能を提供しながらアラートコードを送信することによって応答するように構成することができる。
【０００９】
出願人は、強盗に遭うことによって頭蓋骨が割れるほどの深刻な怪我を負った多くの重傷患者を治療した経験がある医師である。このような強盗には、被害者がＡＴＭ機から支払いを受け取るのを待って襲撃に及ぶ者もいる。従って、本開示の目的の１つは、許可ユーザがＡＴＭ機からお金を引き出している時に襲撃者から保護する識別検証システムを提供することである。本開示の別の目的は、現金を持ち歩く必要性を低減し、従って強盗に狙われることが少なくなるシステムを提供することである。本開示のシステムは、許可ユーザが利用できる現金の金額を少なく示す制限機能モードを含む。少ない金額の現金を示すことにより、襲撃者は、それでもある程度の金額を奪うとは思われるが、その金額は、開示する制限機能モードがない状態で襲撃者が受け取ったはずの金額よりも少なく、ある程度のお金を受け取ることによって被害者を傷つける可能性も低下する。さらに、被害者は、襲撃者又は強盗によって奪われる現金又はお金の金額が少ないので一定の保護を受ける。例えば、制限機能を作動させると、実際には＄１０，０００が利用可能であった許可ユーザの口座が＄１，５００しか利用できないように表示される（或いは、正しい入力と共に、許可ユーザが決定したいずれかの所定の金額を表示すべきである）。別の例として、許可ユーザが制限機能動作を作動させた時に、銀行、クレジット組合、貯蓄貸付組合又はその他の金融機関などの支払いエンティティが、利用可能な資金を総資金の１０％に自動的に低減することもできる。
【００１０】
本開示の検証装置は、人体及び人物の識別を行うように構成される。（一例として、指紋、声紋、眼球スキャナなどの）生体装置は、人体の識別は行うが、人物又は許可ユーザ、すなわち識別された人体の脳が存在することを識別するためには、その人物又は許可ユーザに知られている一連のステップ又はコードなどの認識機能を実行しなければならない。許可ユーザからの一連の応答を生成することができ、３つの例示的な出力として、ｉ）関連する装置又はシステムが（単複の）予想される機能を実行する通常動作、ｉｉ）出力が警察への通知などを含むアラート動作、及びｉｉｉ）予想される動作が行われるものの機能が制限又は限定される制限機能があり、これらは本明細書に示す開示に照らして明らかになるであろう。
【００１１】
図１〜図４は、全体を１０で示す本開示の例示的な実施形態による検証装置の図である。装置１０は、少なくとも１つの指紋センサパッド１２と、複数の圧力センサ１４と、１又は２以上のインジケータとを含むように構成される。圧力センサの代わりに、又は圧力センサと共に、光センサ及びＬＥＤ、モーションセンサ、振動センサ、酸素センサ、温度センサ、汗センサ、化学センサなどの様々なセンサを使用することもできると理解されたい。これらのセンサの各々は、許可ユーザによって特定の方法で作動して許可ユーザ（すなわち、許可ユーザの脳）を識別する。例示的な実施形態では、１又は２以上のインジケータが、肯定的検証インジケータ１６と、未確認検証インジケータ１８と、否定的検証インジケータ２０とを含む。インジケータ１６、１８及び２０の代わりに、可聴インジケータ、接触インジケータ、機械的インジケータなどの他のインジケータを使用することもできると理解されたい。検証装置１０は、検証装置１０をパーソナルコンピュータ、タブレット、携帯電話機、テレビ、オーディオ装置、車両用点火装置、車両用制御システムなどの別の装置に接続できるようにするプラグ、コネクタ、接続部又は出力部２２を含むこともできるが、このような接続は、無線装置（図示せず）を介して行うこともできる。
【００１２】
装置１０は、利用可能な各指紋センサパッド１２内に指を置くことによって動作する。装置１０は、図示のものよりも多くの指紋センサパッド１２を含むように構成することもできると理解されたい。また、別の実施形態では、全ての指紋センサパッド１２が指を受け取る必要はないと理解されたい。例えば、装置１０は３つの指紋センサパッド１２を含むが、２つの指紋からの肯定的検証しか必要としないようにすることもできる。装置１２は、指紋センサパッド１２内に指（図示せず）が置かれると指紋データを収集し、このデータを非一時的メモリに記憶されたデータと比較して指紋の所有者の身元を特定する。指紋が認可者に属する場合、装置１０は、例えば肯定的検証インジケータ１６を短く又は青色などの第１の色で点灯させることによって簡単な表示を行うことができる。この初期表示は、装置１０が圧力センサ１４を介した圧力センサ入力を受け入れる準備ができた旨のユーザとの通信である。装置１０は、ユーザが生きていると判断する１又は２以上の装置をさらに含むこともでき、さらなる識別情報を提供することもできると理解されたい。このような装置としては、例えば脈拍計、酸素センサ、温度センサ、汗センサ、化学センサ及び／又は赤外線センサを挙げることができる。
【００１３】
圧力センサ１４を作動又は起動させるには、ユーザが、指紋センサパッド１２との接触を維持しながら自分の指を揺動又は回動させ、又は左右に動かして、各指紋センサパッド１２の両側の圧力センサ１４に接触させる。例えば、図５に示すように、このような揺動は、左右の回動、揺動又は左右の動きの組み合わせとすることができる。同じ手の指を使用する場合には、左右の圧力センサ１４がほぼ同時に作動すると予想される。動きとしては、一方の側における複数回の作動後にもう一方の側における複数回の作動、その後に最初の側におけるさらなる作動、及び左、右、左、左、右などの交互の作動パターンを挙げることができる。また、装置１０は、左右の異なる手の指からの入力を受け入れることにより、各指による個々の揺動、回動又は左右の動きを個別に又はほぼ同時に可能にして、複雑で中断が困難なシーケンスを形成することもできる。さらに、装置１０は、圧力レベル及び圧力時間レベルを感知するように構成することもできる。これらの複数の圧力センサは、本明細書で説明するようなコードを受け入れる他の入力装置と同様の入力コード装置と呼ぶこともできると理解されたい。一例として、完全な認可シーケンスは、左側の１秒未満の低圧、右側の高圧（時間要件なし）、右側の２秒間の高圧、左側の低圧（時間要件なし）とすることができる。当然ながら、このような組み合わせは無限であって、異なる時間長、異なる圧力レベル及び異なる作動回数を伴うが、全てが認可された指紋の存在を必要とする。例示的な実施形態では、最初のステップとして指紋認識を行った後に認可シーケンスを行い、指紋センサから指が除去された後に認可シーケンスを発生させることができると理解されたい。
【００１４】
検証装置は、ＡＴＭ、販売時点情報管理装置、クレジットカードリーダなど別の装置の一体部分として構成することもできる。例えば、図６〜図９に示すように、全体を１００で示すモバイル通信装置が、本開示の例示的な実施形態による検証装置１０２を含む。装置１００は、検証装置１０と同様に、指紋センサパッド１０４及び圧力センサ１０６を含む。インジケータは、肯定的検証インジケータ１０８と、未確認検証インジケータ１１０と、否定的検証インジケータ１１２とを含む、装置１００上の小さな点灯部分として構成することができる。しかしながら、単一のインジケータが、複数の機能によって提供される機能を示す複数の色を含むことも、或いは装置１００を、検証インジケータ機能を提供するディスプレイ１１６を含むように構成することもできると理解されたい。装置１００は、例えば別の装置に接続するためのコネクタ又は出力部／入力部１１４、無線通信装置（図示せず）、オーディオスピーカ又は出力部１１８などをさらに含むことができる。この装置１００は、肯定的検証インジケータ１０８、未確認検証インジケータ１１０及び／又は否定的検証インジケータ１１２を含まずに動作することもできると理解されたい。インジケータ１０８、１１０及び１１２を含まない実施形態では、ドアのロック解除などの動作の成功が肯定的検証を示し、（検証コードの入力後にドアロックが解除されないことなどの）正しい機能の欠如が否定的検証又は未確認検証を示す。
【００１５】
図１０は、検証装置を一体部分として構成できる、全体を２００で示す本開示の例示的な実施形態による別の装置の図である。装置２００は、検証装置２０２を含むラップトップ又は他のパーソナルコンピュータとすることができる。装置２０２は、検証装置１０及び１００と同様に、指紋センサパッド２０４及び圧力センサ２０６を含む。コンピュータ装置２００は、装置１０の検証インジケータ１６、１８及び２０と機能又は能力が類似する検証インジケータを表示するために使用できるディスプレイ２１６を含むように構成される。或いは、コンピュータ装置２００は、検証インジケータ１６、１８及び２０の機能をもたらす独立したライト（図示せず）を含むように構成できる装置本体１１８を含む。装置２００は、例えば別の装置に接続するための１又は２以上のコネクタ又は出力部／入力部（図示せず）、無線通信装置（図示せず）、オーディオスピーカ又は出力１２０などをさらに含むことができる。
【００１６】
本開示の多くの態様は、例えば汎用コンピュータ、専用コンピュータ、ワークステーション又はその他のプログラマブルデータ処理装置などの、プログラムされた命令を実行できるコンピュータシステム又はその他のハードウェアの要素によって行われる一連の動作の観点から説明するものである。能動的要素又は電子要素を含む各実施形態では、特殊回路（例えば、特殊機能を実行するように相互接続された離散的論理ゲート）、１又は２以上のプロセッサ（例えば、１又は２以上のマイクロプロセッサ、中央処理装置（ＣＰＵ）及び／又は特定用途向け集積回路）によって実行される論理ブロック、プログラムモジュールなどのプログラム命令（ソフトウェア）、或いはこれらの両方の組み合わせによって様々な動作を実行することもできると認識されるであろう。例えば、実施形態は、ハードウェア、ソフトウェア、ファームウェア、ミドルウェア、マイクロコード、又はこれらのいずれかの組み合わせで実装することができる。命令は、必要なタスクを実行するプログラムコード又はコードセグメントとすることができ、記憶媒体又はその他の（単複の）ストレージなどの非一時的機械可読媒体に記憶することができる。コードセグメントは、手順、関数、サブプログラム、プログラム、ルーチン、サブルーチン、モジュール、ソフトウェアパッケージ、クラス、或いは命令、データ構造又はプログラム文のいずれかの組み合わせを表すことができる。コードセグメントは、情報、データ、引数、パラメータ又は記憶内容を受け渡し及び／又は受け取ることによって別のコードセグメント又はハードウェア回路に結合することができる。
【００１７】
さらに、非一時的機械可読媒体は、本明細書で説明する技術をプロセッサに実行させるプログラムモジュールなどの一連の適切なコンピュータ命令及びデータ構造などを含む固体メモリ、磁気ディスク及び光ディスクなどの、いずれかの有形形態のコンピュータ可読担体において具体化されると考えることができる。コンピュータ可読媒体としては、１又は２以上の配線を有する電気的接続、磁気ディスクストレージ、磁気カセット、磁気テープ又はその他の磁気記憶装置、ポータブルコンピュータディスケット、ランダムアクセスメモリ（ＲＡＭ）、リードオンリメモリ（ＲＯＭ）、消去可能なプログラム可能リードオンリメモリ（例えば、ＥＰＲＯＭ、ＥＥＰＲＯＭ又はフラッシュメモリ）、又は情報を記憶できる他のいずれかの有形媒体を挙げることができる。
【００１８】
なお、本明細書では、本開示のシステムを、特定の機能を実行する様々なモジュール及びユニットを有するものとして図示し説明する。これらのモジュール及びユニットは、明確にするためにその機能に基づいて概略的に示すものにすぎず、必ずしも特定のハードウェア又はソフトウェアを表すものではないと理解されたい。この点に関し、これらのモジュール、ユニット及びその他のコンポーネントは、本明細書で説明する特定の機能を実質的に実行するように実装されたハードウェア及び／又はソフトウェアとすることができる。異なるコンポーネントの様々な機能は、ハードウェアモジュール及び／又はソフトウェアモジュールとしていずれかの形で組み合わせ又は分離することができ、単独でも又は組み合わせても有用となり得る。システムには、直接、又は介在するＩ／Ｏコントローラを介して、以下に限定するわけではないが、キーボード、ディスプレイ及びポインティングデバイスなどを含む入力／出力装置又はＩ／Ｏ装置又はユーザインターフェイスを結合することができる。従って、本開示の様々な態様は多くの異なる形態で具体化することができ、全てのこのような形態が本開示の範囲に含まれると考えられる。
【００１９】
装置又は装置のソフトウェアの使用を認可する能力は、多くの異なる処理によって実現することができる。図１１は、全体を３００で示す本開示の例示的な実施形態による検証処理を含む。検証処理３００は、装置１０、装置１００又は装置２００などの装置に電力を供給し、ソフトウェアを開始し、入出力処理などを開始することなどを含むことができる開始処理３０２から開始する。開始処理３０２が完了すると、制御は指紋検出処理３０４に進む。
【００２０】
指紋検出処理３０４では、指紋センサパッド１２、１０４及び２０４などの１又は２以上の指紋センサパッドが、指紋が存在するかどうかを判定する。指紋が存在する場合には、その指紋を分析する。その後、制御は、指紋検出処理３０４から指紋認可判定処理３０６に進む。
【００２１】
検証処理３００は、指紋認可判定処理３０６において指紋が実際に存在するかどうかを判定し、すなわち指紋センサパッド上に物体が検出された場合、その物体が指紋を有していると判定する。また、指紋認可判定処理３０６では、その指紋が認可済みの指紋に対応するかどうかを判定する。物体が指紋を含まない場合、又は指紋が認可されていない場合、制御は指紋認可判定処理３０６から終了処理３１６に進んで検証処理３００を終了する。認可判定処理３０６において認可済みの指紋を検出した場合、制御は認可判定処理３０６から圧力入力受け入れ処理３０８に進む。
【００２２】
圧力入力受け入れ処理３０８では、圧力センサ１４、１０６又は２０６などの圧力センサからの入力を受け入れる。入力が受け入れられると、制御は圧力入力受け入れ処理３０８から指紋存在判定処理３１０に進み、依然として指紋パッド上に有効な指紋が存在するかどうかを判定する。有効な指紋が除去されていた場合、制御は指紋存在判定処理３１０から終了処理３１６に進む。依然として有効な指紋が存在する場合、制御は指紋存在判定処理３１０からコード一致判定処理３１２に進む。
【００２３】
検証処理３００は、コード一致判定処理３１２において、これまでに圧力センサから受け取った入力が、左右の圧力センサ入力と、圧力レベルの変動と、可変時間長にわたる圧力入力との組み合わせを含むことができる所定の圧力コードに一致するかどうかを判定する。入力がとりあえず既知又は所定のコードに一致した場合、制御はコード一致判定処理３１２からコード完結判定処理３１４に進む。
【００２４】
コード完結判定処理３１４では、入力圧力コード全体が受け取られたかどうかを判定する。コード全体が受け取られていなかった場合、制御は圧力入力受け入れ処理３０８に戻り、上述した通りに検証処理３００を継続する。圧力コード全体が受け取られていた場合、制御はコード完結判定処理３１４からアラートコード判定処理３２６に進む。
【００２５】
アラートコード判定処理３２６では、所定の圧力コードがアラートコードであるかどうかを判定する。アラートコードは、エンドユーザによる購入前に作成できる、エンドユーザがプログラムできる、又はエンドユーザがダウンロードできる所定のコードである。例えば、アラートコードは、ユーザが装置のロック解除又は認可を行うように強制されている旨を、ＧＰＳ情報を含むことができる識別情報と共に警察に知らせるコードとすることができる。所定の圧力コードがアラートコードである場合、制御は、アラートコード判定処理３２６から、本明細書でさらに詳細に後述するアラート送信処理３２２に進む。所定の圧力コードがアラートコードでない場合、制御は装置認可処理３２８に進み、ユーザが検証されて装置の使用を認可されたという理由で、関連する装置を完全にロック解除する。その後、制御は、装置認可処理３２８から終了処理３１６に進む。
【００２６】
コード一致判定処理３１２に戻ると、圧力コードが既知のコードに一致しない場合、制御はコード一致判定処理３１２から受け入れ表示処理３１８に進む。受け入れ表示処理３１８は、誤ったコードの場合にのみ発生するので、この処理では、誤って入力されたコードを無視する選択肢を許可ユーザに与える。その後、制御は入力受け入れ判定処理３２０に進む。
【００２７】
入力受け入れ判定処理３２０では、ユーザが入力を、すなわち誤って入力された圧力コードを受け入れなかった場合、制御は入力受け入れ判定処理３２０から終了処理３１６に進む。誤ったコードが受け入られない場合、制御はアラート送信処理３２２に進む。
【００２８】
アラート送信処理３２２では、ユーザに通知を行うことなく所定のアラートコードに対応するアラートを送信する。例えば、所定のアラートコードが、ユーザが装置のロック解除を強制されている旨を警察に通知するものである場合、インターネット、Ｗｉ−Ｆｉ、地上通信線、無線などのうちの１つ又は２つ以上によって、テキストメッセージ、コンピュータファイル、所定の音声録音などを含むことができるアラートが警察に送信される。このような送信は、位置情報、識別情報、ＧＰＳ情報などを含むことができる。状況によっては、アラートへの応答中に装置でのイベントをモニタできるように、アラート受信機関へのオープンな伝送線を開くこともできる。アラートが送信されると、制御はアラート送信処理３２２から制限機能処理３２４に進む。
【００２９】
制限機能処理３２４では、装置が、装置に記憶されているコンピュータファイルなどの機密情報へのアクセスを含まない制限された機能を提供できるようにするとともに、無線サービス及びインターネットサービスへのアクセス能力を制限することができる。車両などのシステムでは、制限機能が、偽の低燃料表示又は燃料ゼロ表示、エンジン警告灯、エンジン整備灯を示すことにより、誘拐未遂犯又は自動車泥棒未遂犯が車両を使用して被害者を輸送するのを防ぐこともできる。このような制限機能の利点は、アラート受信機関がアラート送信処理３２２において提供されたアラートに応答している間に無許可のユーザが装置を使用し続けるように促す点である。制限機能が提供されると、制御は制限機能実現処理３２４から終了処理３１６に進む。再び検証処理３００を実行すると、関連する装置の機能を完全に回復させることができると理解されたい。
【００３０】
図１２は、全体を３５０で示す本開示の別の例示的な実施形態による検証装置の斜視図である。検証装置３５０は、ケーシングと、ハウジングと、本体３５２とを含む。本体３５２は、指を受け取るように構成された少なくとも１つのインターフェイス位置３５４を支持する。インターフェイス位置３５４は、本体３５２内に形成された、人間の指とほぼ同じ形状の共形形状３５６を含むことができる。共形形状３５６の表面上には、指紋センサ３５８と、制御部、入力部又はセンサ３６０とが位置する。制御部、入力部又はセンサ３６０は、例えば光を遮ることによって作動できる光学センサ又は光センサ、動きを感知できるモーションタイプセンサ、ボタン又はスイッチ、或いはユーザの指の動きを感知するように構成された別の装置とすることができる。検証装置３５０は、ユーザの指紋情報を受け取るように構成され、この情報は、本明細書でさらに説明するように、基準指紋との比較のためにプロセッサに送信される。指紋が検証されると、ユーザは、指紋がモニタされている間に制御部、入力部又はセンサ３６０を通じてコードを入力することができる。
【００３１】
別の実施形態では、第１のステップとして指紋センサ３５８によって指紋を取得して検証した後に、指紋センサ３５８を停止することができると理解されたい。指紋の肯定的検証後に開始される第２のステップではセンサ３６０が起動し、許可ユーザは、その後に制御入力部又はセンサ３６０を通じてコードを入力することができる。
【００３２】
検証装置３５０は、本明細書の他の箇所でさらに詳細に説明する、識別状態及びアラート送信の表示を行うように構成された１又は２以上のインジケータ３６２をさらに含むことができる。インジケータ３６２は、複数のライト又はディスプレイを含むことができる。図１２の実施形態では、インジケータ３６２が、３つの同心状の照明機能３６４、３６６及び３６８を含む。照明器３６４、３６６及び３６８は、検証装置３５０の状態及び関連機能の表示を行うように構成することができる。例えば、指紋の取得及び識別段階中には、照明器３６４をオンにすることができる。このような照明器は、識別を示す黄色などの色を含むように構成することができる。識別に失敗した場合には、照明器３６４が赤色で点灯することができ、或いは３つの照明器３６４、３６６及び３６８全てが赤色又は別の色で点灯し、点滅することもできる。指紋の識別が上手くいった場合には、照明器３６４が緑色又は青色に変化し、照明器３６６が黄色に変化して、検証装置３５０がコードの入力を待機している旨を示すことができる。正しいコードが入力された場合、照明器３６６は緑色に変化することができる。誤ったコードが入力された場合、照明器３６６は、照明器３６８と同様に赤色に変化することができ、一方又は両方の照明器が、照明器３６４に緑色の光を維持したまま、コードが誤っていた旨を示すために赤色で点滅することができる。本明細書の他の箇所でさらに詳細に説明するアラートコードが入力された場合には、照明器３６８が緑色に変化して、アラートコードが認識されて機関へのメッセージが正常に送信された旨を示す。或いは、アラートコードは認識されたものの、機能不全によって機関にアラートが届かなかった場合、照明器３６８は、最初に黄色又は赤色の光で点灯した後に、オフ状態又は青色などの別の色に変化して、アラートコードは受け取られたものの、何らかの理由で機関にアラートが届かなかった旨を示し続ける。照明器３６８は、アラートコードが入力された時に緑色で点灯し、これによって襲撃者は騙されて全て上手くいっていると思うが、実際にはアラートコードが入力されているので警察への通報が行われているようにプログラムすることができると理解されたい。赤色のコードが点灯すると、襲撃者が興奮して犠牲者を傷つける恐れがあり、従ってアラートコードが入力されると緑色の光が点灯して、例えば金庫のロックが解除される。
【００３３】
図１３は、全体を４００で示す、本開示の例示的な実施形態による検証装置を組み込んだシステムのブロック図である。システム４００は、例えばＡＴＭ、モバイル通信装置、ラップトップなどのコンピュータ、車両などの例示である。システム４００は、システム４００のいくつかの要素を支持又は収容するために使用されるケーシング、ハウジング又は本体４０２と、本明細書で開示するいずれかの検証装置、又は本開示の原理に従って構成されたいずれかの検証装置とすることができる検証装置４０４とを含む。システム４００は、プロセッサ４０６と、非一時的メモリ４０８と、地上通信線モデム又はインターフェイス４１０と、ケーブルモデム又はインターネットインターフェイス４１２と、トランシーバ又は送信機４１４と、アンテナ４１６とをさらに含む。システム４００は、オーディオ出力装置４１８、１又は２以上のカメラ４２０、及びライト、ディスプレイなどの他の装置４２２などの１又は２以上の補助装置又はシステムをさらに含み又は制御することができる。
【００３４】
検証装置４０４は、プロセッサ４０６に複数の出力信号を供給するように構成される。例えば、プロセッサ４０６には、指紋センサなどの１又は２以上のセンサの出力が送信される。また、ユーザによって入力されたコードもプロセッサ４０６に送信される。プロセッサ４０６は、ソフトウェア及び記憶データへのアクセス、並びにデータを記憶するための非一時的メモリとの通信も行う。プロセッサ４０６は、従来の電話回線を介した通信のための地上通信線モデム又はインターフェイス４１０、インターネットを通じた通信のためのケーブルモデム又はインターネットインターフェイス４１２、及び無線通信のためのトランシーバ又は送信機４１４などの、遠隔通信のための１又は２以上の装置とさらに通信する。無線通信とは、近距離無線通信、及び衛星通信を含む遠距離無線通信を含む用語であると理解されたい。
【００３５】
プロセッサ４０６は、視覚障害者のための口頭による入力又は支援の確認を行うように検証装置４０４と同じ場所に配置できる、音声出力又は音調出力を提供するオーディオ装置４１８などの他の装置を制御することもできる。プロセッサ４０６は、検証装置４０４と同じ場所に配置されたカメラを含む１又は２以上のカメラ４２０の制御又は電源オンを行い、これらのカメラからデータを受け取ることもできる。カメラ４２０からデータが受け取られた場合には、このデータを処理して、ユーザへのリスク又はユーザが認可されていない旨を判断することができる。このようなデータは、システム４００と同じ場所又はクラウドストレージなどの遠隔地に配置できる非一時的メモリ４０８に記憶することができる。また、プロセッサ４０６は、さらなるライト、アラーム、ロックシステムなどを含むことができる他の装置４２２を制御することもできる。
【００３６】
図１４は、全体を４５０で示す、本開示の別の例示的な実施形態による検証装置の処理フロー図である。処理４５０は、本開示の原理に従って構成されて処理４５０の特徴を有するシステムの一部として組み込まれるいずれかの検証装置と共に使用することができる。
【００３７】
処理４５０は、開始処理４５２から開始してソフトウェアをロードし、又はファームウェアアクセス、レジスタをクリアし、照明器３６４、３６６及び／又は３６８などのインジケータが作動して起動が進行中であることを示す。開始処理４５２が完了すると、制御は開始処理４５２からユーザバイオメトリック受信処理４５４に進む。
【００３８】
ユーザバイオメトリック受信処理４５４では、検証装置によってユーザの指紋をスキャンし、ユーザの身元の分析及び判定のためにプロセッサに送信する。分析が完了すると、制御はユーザバイオメトリック受信処理４５４からユーザ認証判定処理４５６に進む。ユーザが認証されなかった場合、制御はユーザ認証判定処理４５６からユーザ不認可表示処理４５８に進み、照明器３６４、３６６及び／又は３６８などのインジケータが、ユーザが認証されなかった旨の表示を行う。その後、制御はユーザ不認可表示処理４５８から終了処理４６０に進み、処理フロー４５０は終了する。ユーザ認証判定処理４５６に戻り、ユーザが認証された場合、制御は処理４５６から第１のコード要素入力処理４６２に進む。
【００３９】
第１のコード要素入力処理４６２では、検証装置に入力された第１のユーザコードがプロセッサに送信され、その後の検証のために保持される。その後、制御は第１のコード要素入力処理４６２からコード完結判定処理４６４に進む。例えば、コードが６つのコードエントリである場合、１つのエントリではコードが完結せず、制御はコード完結判定処理４６４からユーザバイオメトリック受信処理４５４に進み、処理４５０が上述した通りに機能する。完全な入力シーケンスが受け取られた場合、制御はコード完結判定処理４６４から正しいアクセスコード判定処理４６６に進む。
【００４０】
正しいアクセスコード判定処理４６６では、コードが正しいアクセスコードであるかどうかを判定する。この文脈における正しいという用語は、このようなコードによって認可されたユーザに完全なアクセスをもたらすアクセスコードを意味する。入力されたコードが正しいアクセスコードである場合、制御は、正しいアクセスコード判定処理４６６からアクセス許可／認可処理４６８に進み、ユーザに所定のアクセスが提供される。アクセスが提供されると、処理４５０は完了し、制御は終了処理４６０に進む。実際の装置では、終了処理４６０が処理４５０の終了にすぎず、他の処理が動作し続ける。
【００４１】
正しいアクセスコード判定処理４６６に戻り、アクセスコードが正しいアクセスコードでない場合、制御は、正しいアクセスコード判定処理４６６からアラートコード判定処理４７０に進み、コードがアラートコードであるかどうかについての判定を行う。コードがアラートコードでない場合、制御は、アラートコード判定処理４７０から誤ったコード表示処理４７２に進み、照明器３６４、３６６及び／又は３６８などが、誤ったコードが入力された旨の表示を行う。その後、制御は、誤ったコード表示処理４７２から再入力コード判定処理４７４に進む。ユーザが再試行する場合、制御は、再入力コード判定処理４７４から上述した処理４５４に進む。ユーザが再試行しない場合、制御は、再入力コード判定処理４７４から、やはり上述した終了処理４６０に進む。
【００４２】
アラートコード判定処理４７０に戻り、ユーザが入力したコードがアラートコードである場合、制御は、本明細書の他の箇所でさらに詳細に説明する遅延処理４７６に進むことができる。遅延処理４７６が終了すると、制御は、遅延処理４７６から、本明細書の他の箇所で説明した終了処理４６０に進む。
【００４３】
図１５に、本開示の例示的な実施形態による図１４の処理フローの遅延処理４７６を示す。処理４５０においてユーザ入力コードがアラートコードとして識別された後、制御はアラート送信処理４６８に進み、例えば警察機関、ＦＢＩ、国土安全保障省又はその他の適切な機関に、検証装置の位置においてユーザが能動的脅威に曝されている旨を示すアラートが送信される。このようなアラートは、地上通信線、インターネット及び／又は無線通信を介して送信することができる。アラートが送信されると、制御はアラート送信処理４７８から２次装置起動処理４８０に進む。
【００４４】
２次装置起動処理４８０では、アラートに関連するカメラ、警告灯又はその他の装置などの装置を作動、起動又は動作させることができる。このステップは、全てのシステムに存在しなくてもよく、或いは全てのシステムに機能を提供しなくてもよいと理解されたい。２次装置起動処理４８０が完了すると、制御は、２次装置起動処理４８０からイベントカウンタ設定処理４８２に進んで、イベントカウンタを「１」などの初期値に設定する。その後、制御は、イベントカウンタ設定処理４８２から遅延戦術処理４８４に進む。
【００４５】
遅延戦術処理４８４の目的は、警察、ＦＢＩ、国土安全保障省などの適切な機関に、認証装置の位置に対応する時間を与えることである。遅延は、例えばシステム４００の処理に不可欠な、或いはインターネット、地上通信線又は無線通信を介して利用可能なクロックのできるだけ多くの時間を使うように意図される。遅延は、現実的であるように選択されるとともに、ユーザを脅迫していると思われる敵対的個人を警戒させたり、又は怒らせて暴力を振るいやすくしたりするリスクを最小限に抑えるようにも選択される。考えられる遅延は、認可コードを再入力するためのディスプレイ表示、（関連する口座に多くの利用可能な金額が存在するにも関わらず）残高不足の表示、資金不足又は故障中のＡＴＭ機で起こり得るような、その時点で取引が不可能又は一時的に利用不能である旨の表示、取引が行われなかったにも関わらず取引が完了した旨の誤った表示、などとすることができる。上述したように、この目的は、このような遅延が実際の動作の発生に矛盾しないようにして被疑者又は脅迫中の個人がアラートコードが入力されたと認識するリスクを抑えながら被疑者をできるだけ長引かせることである。本開示から明らかなように、処理４７６は再帰的又は反復的なものであるため、このような遅延はランダムに選択し、逐次的となるように論理的に順序付けることができる。例えば、インターネットとの通信がダウンしており、その段階で取引が不可能であることを１つの遅延とすることができる。また、未知の機能不全が生じ、その段階で取引が不可能であることをその後の遅延とすることができる。換言すれば、特定の遅延が選択されると、その遅延に論理的に関連するようにその後の遅延を選択することができる。遅延戦術がランダムに選択され実行されると、制御は遅延戦術処理４８４からイベントカウンタ判定処理４８６に進む。
【００４６】
イベントカウンタ判定処理４８６では、事前に決定されたイベント数又は遅延数に達したかどうかを判定する。このような事前の決定は、設定された数字とすることができ、処理４７６に入る際にランダムに選択することも、或いはランダムに選択された遅延に基づいて修正することもできる。所定の遅延数の決定がどのように行われるかに関わらず、そのイベント数に達していなかった場合、制御はイベントカウンタ増分処理４８８に進んでイベントカウンタを１だけ増分する。その後、制御は、イベントカウンタ増分処理４８８から遅延戦術処理４８４に進み、この処理が上述したように機能する。
【００４７】
イベントカウンタ判定処理４８６に戻ると、所定のイベント数又は遅延数に達していた場合、制御は制限機能処理４９０に進み、ディスプレイ上にシステム４００などのシステムの制限機能を示す。その後、制御は、イベントカウンタ判定処理４８６から任意の要求である同伴者識別処理４９２に進む。
【００４８】
同伴者識別処理４９２では、システム４００が、カメラ又はその他の入力により、ユーザの近くに第２の個人が存在してアラートコードが入力されたと判断した場合、その個人が同伴者識別のために１０フィートなどの所定の距離だけ離れる要求、又はカメラに近づく要求を指示又は表示することができる。ディスプレイが利用可能な場合には、さらに徹底した要求を表示することができ、この場合も時間を掛けて、脅迫中の個人に対してユーザに過失がない旨を示す。同伴者識別処理４９２は、ユーザにさらなるプライバシーを認めることができる、或いは脅迫中の個人を識別して後で逮捕できるようにする機会を潜在的に得ることができる任意の処理であると理解されたい。同伴者識別処理４９２が完了すると、制御は制限機能容認処理４９４に進む。
【００４９】
制限機能容認処理４９４では、このタイトルが示すように、例えばシステム４００の制限機能を提供し、照明器３６４、３６６及び／又は３６８を含めてディスプレイ上に示すことができる。このような制限機能は、例えばＡＴＭからの限られた金額にアクセスする能力、ラップトップ上のファイルの一部にアクセスする能力、車両を始動する能力、燃料が少ない旨又は車両のエンジン整備が必要である旨の表示、などとすることができる。制限機能処理４９０の目的は、脅迫中の個人に、ユーザは脅迫者の要求に応えるためにベストを尽くしているが、システム又は装置が明らかに正しく動作していないと納得させることである。その後、制御は、処理４７６の処理４９０から、図１４に関して本明細書で上述したような終了処理４６０に進む。
【００５０】
本開示は、検証装置が第２の装置と協働して動作するシステムを含むと理解されたい。一例として、１つのこのようなシステムは、アラートコードが送信されると燃料の流れを停止又は遮断するように構成された車両の燃料ポンプ又は燃料経路と組み合わせた検証装置とすることができる。このような実施形態では、襲撃者が車を奪おうとしても燃料を直ちに遮断して操作を防ぐことができ、或いは数マイル後に遮断するようにプログラムして、襲撃者が被害者から数マイル離れた所で止まってそれ以上車両を操作できないでいる間に被害者が避難できるようにすることができる。従って、このような実施形態は、上述したような制限機能の提供を含む。
【００５１】
図１６〜図２１は、全体を５００で示す本開示の例示的な実施形態による検証装置の図である。検証装置５００は、ハウジング又はケーシングを含むことができる装置本体５０２を含む。検証装置５００は、指紋スキャナ又はセンサ５０４と、モーションセンサ５０６とさらに含む。検証装置５００は、一体型プロセッサと非一時的メモリとを含み、或いは図１３に示すシステム４００などの、プロセッサと非一時的メモリとを含む機器、装置又はシステムに、ケーブル又は配線による直接接続を通じて又は無線によって取り付けられると理解されたい。例示的な処理では、図１８及び図１９に示すように指紋スキャナ又はセンサ５０４上に指５０８を配置し、検証装置５００が指５０８の指紋を読み取る。検証装置５００、或いは検証装置５００が接続された又は取り付けられたシステムは、指紋が許可ユーザの指紋であるかどうかを判定する。ユーザには、本明細書の他の箇所で説明したような、指紋が認可又は容認された旨の表示が示される。その後、この時点で許可ユーザとなったユーザは、図２０及び図２１に示すようにモーションセンサ５０６上に指５０８を配置する。モーションセンサ５０６は、図２０に示すような左右の動き又は図２１に示すような上下の動きとすることができる指５０８の動きを識別し、動きの合間の時間長を含めてコード又は一連の動きを読み取る。動きのタイプは、使用するモーションセンサのタイプに依存すると理解されたい。例えば、静電容量式センサは、上下の動きを識別することができる。別の例では、１又は２以上の光センサが左右の動きを識別することができる。モーションセンサ５０６は、図１４に関連して説明したコード完結判定処理４６４によって示すような完全なコードを受け取ると、アラート、制限機能、及びフルアクセスのための正しい認可を含むコードのタイプを判定する。このようにして、検証装置５００は、例えば図１４及び図１５において上述したように動作することができる。
【００５２】
図２２〜図２７は、全体を５２０で示す本開示の例示的な実施形態による検証装置の図である。検証装置５２０は、ハウジング又はケーシングを含むことができる装置本体５２２を含む。検証装置５２０は、スキャナ又はセンサ５０４及びモーションセンサ５０６とそれぞれ同一とすることができる指紋スキャナ又はセンサ５２４及びモーションセンサ５２６と、圧力センサ５２８とをさらに含む。検証装置５２０は、一体型プロセッサと非一時的メモリとを含み、或いは図１３に示すシステム４００などの、プロセッサと非一時的メモリをと含む機器、装置又はシステムに、ケーブル又は配線によるによる直接接続を通じて又は無線によって取り付けられると理解されたい。例示的な処理では、図２４及び図２５に示すように指紋スキャナ又はセンサ５２４上に指５０８を配置すると同時に圧力センサ５２８も押圧し、検証装置５２０が指５０８の指紋を読み取る。検証装置５２０、或いは検証装置５２０が接続された又は取り付けられたシステムは、指紋が許可ユーザの指紋であるかどうかを判定する。ユーザには、本明細書の他の箇所で説明したような、指紋が認可又は容認された旨の表示が示される。その後、この時点で許可ユーザとなったユーザは、図２６及び図２７に示すようにモーションセンサ５２６上に指５０８を配置する。モーションセンサ５０６は、図２６に示すような左右の動き又は図２７に示すような上下の動きとすることができる指５０８の動きを識別し、動きの合間の時間長を含めてコード又は一連の動きを読み取る。動きのタイプは、使用するモーションセンサのタイプに依存すると理解されたい。例えば、静電容量式センサは、上下の動きを識別することができる。別の例では、１又は２以上の光センサが左右の動きを識別することができる。指５０８を動かしている最中は、圧力センサ５２８に接触又は押圧しても又はしなくてもよい。さらに、圧力センサ５２８に対する圧力が、検証装置５２０への入力コードの一部を形成するようにしても、或いは形成しないようにしてもよい。例えば、最初に圧力センサ５２８を押圧しながら左右に動かし、その後に圧力センサ５２８から押圧を解除した状態で指５０８を１回又は２回以上左右に動かすことを入力コードシーケンスとすることができる。モーションセンサ５２６、及びいくつかの実施形態では圧力センサ５２８は、図１４に関連して説明したコード完結判定処理４６４によって示すような完全なコードを受け取ると、アラート、制限機能、及びフルアクセスのための正しい認可を含むコードのタイプを判定する。このようにして、検証装置５２０は、例えば図１４及び図１５において上述したように動作することができる。
【００５３】
図２８及び図２９は、全体を５４０で示す本開示の例示的な実施形態による検証装置の図である。検証装置５４０は、ハウジング又はケーシングを含むことができる装置本体５４２を含む。検証装置５４０は、指紋スキャナ又はセンサ５４４と、ＬＥＤのタッチ感知式パネル５４６とをさらに含む。検証装置５４０は、一体型プロセッサと非一時的メモリとを含み、或いは図１３に示すシステム４００などの、プロセッサと非一時的メモリをと含む機器、装置又はシステムに、ケーブル又は配線によるによる直接接続を通じて又は無線によって取り付けられると理解されたい。例示的な実施形態では、図１８及び図１９に関連して説明した処理と同様に指紋スキャナ又はセンサ５４４上に指５０８を配置し、検証装置５４０が指５０８の指紋を読み取る。検証装置５４０、或いは検証装置５４０が接続された又は取り付けられたシステムは、指紋が許可ユーザの指紋であるかどうかを判定する。ユーザには、本明細書の他の箇所で説明したような、指紋が認可又は容認された旨の表示が示される。その後、この時点で許可ユーザとなったユーザは、それぞれがタッチ感知式スイッチに関連する、入力コードの記憶を容易にするように赤色、緑色、青色などの色を有する個々のＬＥＤに接触する。ＬＥＤ５４８を用いた入力コードは、入力するＬＥＤ５４８の位置、及び／又はＬＥＤの５４８の色を含むことができる。検証装置５４０は、ＬＥＤ５４８に対する一連の入力を受け取る。ＬＥＤ５４８を使用して、図１４に関連して説明したコード完結判定処理４６４によって示すような完全なコードが入力されると、アラート、制限機能、及びフルアクセスのための正しい認可を含むコードのタイプが判定される。このようにして、検証装置５４０は、例えば図１４及び図１５において上述したように動作することができる。
【００５４】
図３０〜図３２は、全体を５６２で示す本発明の例示的な実施形態による検証装置を組み込んだ、全体を５６０で示す検証及びアラートシステムの図である。検証装置５６２は、第１の住宅５６４内又は第１の住宅５６４上に含めることができる。システム５６０は、第２の住宅５６８上又は第２の住宅５６８内に位置又は存在するアラートステーション５６６をさらに含む。検証装置５６２は、指紋スキャナ５７２とＩＤパッド５７４とを含む。ＩＤパッド５７４は、キーパッド又はその他の入力装置とすることができる。図３１の例示的な実施形態では、ＩＤパッド５７４が、複数の色分けされたボタン５７６を含む。アラートステーション５６６は、ハウジング又はケーシングと、信号灯５８０と、可聴アラーム５８２と、送信機５８４とを含むことができるアラートステーション本体５７８を含む。許可ユーザは、指紋スキャナ５７２を使用して自身の指紋をスキャンした後に、色分けされたボタン５７６を使用してアラートコードを入力することができる。なお、許可ユーザは、アラートコードが入力された旨の表示を受け取らず、従って住宅の所有者を脅して検証装置５６２を通じてアラーム又はその他のシステムを解除しようと試みる無許可の人物は、アラートコードが送信されていることに気付かない。検証装置５６２は、有線接続又は無線接続によって第２の住宅５６８に位置するアラートステーション５６６に接続することができる。アラートステーション５６６は、信号灯５８０及び警報器５８２を作動させるとともに、例えば送信機５８４を通じて警察、保安官などの適切な機関に自動的に連絡する。
【００５５】
図３３及び図３４は、本開示の例示的な実施形態による検証装置６０２組み込んだＡＴＭ６００の図である。検証装置６０２は、指紋スキャナ６０４と、ＬＥＤを組み込んだタッチ感知式ボタンを含むことができる入力キーパッド６０６とを含む。ユーザは、本明細書で説明した他の実施形態の場合と同様に指をスキャンする。指が認証されると、ユーザが認証され、その後に無許可のユーザがアラートコードに気付くことなく入力キーパッド６０６にアラートコードを入力することができる。アラートコードは、図１３に示して関連する文章で説明したように送信することができる。
【００５６】
図３５〜図３８は、全体を４３０で示す、本開示の例示的な実施形態による検証装置を組み込んだシステムの図である。検証装置４３０は、全体を４３２で示す本開示の例示的な実施形態によるプログラム可能な符号化装置に、例えばイントラネット（図示せず）を介して接続される。検証装置４３０は、いずれも本明細書の他の箇所で説明したように機能できる指紋スキャナ４３４とキーパッド４３６とを含む。プログラム可能な符号化装置４３２は、指紋スキャナ４３８と、検証装置４３０上のキーパッドと同一とすることができるキーパッドと、カメラ４３８と、ディスプレイ４４０とを含む。プログラム可能な符号化装置４３２は、例えばフロント４４２に位置することができる。ユーザは、ホテル、モーテル又はその他の施設にチェックインする際に、プログラム可能な符号化装置４３２を使用して指紋をスキャンする。カメラ４３８によってユーザの写真を撮ることもできる。プログラム可能な符号化装置４３２が指紋を取得すると、ユーザは、認証されたユーザとなり、プログラム可能な符号化装置４３２のキーパッド４３６に１又は２以上のコードを入力することができる。例示的な実施形態では、許可ユーザが、通常動作のための１つのコードと、好ましくは制限機能のためのコードであるアラートのための１つのコードの、少なくとも２つのコードを選択する。これらのコードは、受付によってホテルの部屋番号に関連付けられ、許可ユーザによって入力された情報は、例えば非一時的メモリ４０８に記憶される。許可ユーザが疑わしい行動を目撃したり、或いは襲撃者がユーザを追いかけて無理やり侵入を試みたりした場合には、許可ユーザが自分の選択したコードを入力すると、ドアが開くにも関わらずホテルのセキュリティにも（ホテルの利用客が危険に晒されている旨を示す）連絡が行き、制限機能コードが入力された場合には、ドアが開くのが遅れて、襲撃者がホテルの部屋に侵入する前にセキュリティが到着するのに十分な時間を与えることができる。従って、検証装置４３０及びプログラム可能な符号化装置４３２は、協働して許可ユーザのためのセキュリティシステムを形成する。
【００５７】
図３９は、本開示の例示的な実施形態による検証装置６２２を組み込んだ、全体を６２０で示す金庫の形のさらに別のシステムの図である。検証装置６２２は、いずれも本明細書の他の箇所で説明した指紋スキャナ及び入力キーパッドと同様に機能する指紋スキャナ６２４と入力キーパッド６２６とを含む。他の実施形態と同様に、キーパッド６２６にアラートコードが入力されると、機関又はセキュリティサービスに無線又は有線接続によって入力信号を送ることができる。プロセッサを含むあらゆるシステムは、システム６２０と同様に内部クロック６２８を含むことが明らかなはずである。１つの実施形態では、制限機能コードが入力されると、セキュリティ又は警察が対応する時間を与えるように、システム６２０が開くのを所定の間隔だけ遅らせることができる。
【００５８】
図４０〜図４２は、全体を６４０で示す本開示の例示的な実施形態による検証装置の図である。検証装置６４０は、指紋スキャナ６４２又はその他の生体装置と、カメラ又はタッチ感知式アレイなどの、ジェスチャを識別するように構成されたセンサ６４４とを含む。指紋スキャナ６４２は、本明細書の他の箇所で説明したように機能することができる。センサ６４４は、文字に対応するジェスチャを識別するように構成される。例示的な実施形態では、安全（通常動作）のための文字をＣ、制限機能のための文字をＤ、アラートのための文字をＥとすることができる。
【００５９】
図４３〜図４５は、全体を６５０で示す本開示の例示的な実施形態による検証装置の図である。検証装置６５０は、掌紋リーダ又はスキャナ６５２と、ジェスチャ及び／又は形状を識別するように構成されたセンサ６５４とを含む。センサ６５４は、例えばカメラ又はその他の入力装置とすることができる。ユーザを認証するには、まずユーザが、掌紋リーダ又はスキャナ６５２に手６５６をかざす。手６５６の掌の溝及び皺が、ユーザの一意の生体認証をもたらす。ユーザは、識別されると、手６５６で一定の形を作ったり、又は手６５６を所定の配置又は構成で配置したりすることなどの１又は２以上のジェスチャを行う。従って、検証装置６５０は、手６５６の生体認証と、ユーザが定めたジェスチャ、手の形状又は構造との組み合わせを使用してユーザを認証する。また、ユーザが、通常動作、アラート又は制限機能を示すジェスチャ、手の形状又は構成を予め定めることもできる。掌紋リーダ又はスキャナ６５２及びセンサ６５４は、２つの別個の要素として示しているが、掌紋及びジェスチャ、手の形状又は構成の読み取りは、同じ装置によって行うこともでき、その場合には１つの検出素子のみを使用すればよいと理解されたい。さらに、認証は、掌紋の後に手のジェスチャ、形状又は構成を識別する連続ステップとして実行しているが、両方の機能を同時に実行して、片手の掌紋をスキャンしながら逆の手のジェスチャ、形状又は構成を入力することもできると理解されたい。また、掌紋のスキャン、手のジェスチャ、形状又は構成の入力には、左手又は右手の一方を使用することも、又は両方を使用することもできると理解されたい。
【００６０】
図４６及び図４７は、全体を６７０で示す、本開示の例示的な実施形態による検証装置を組み込んださらなるシステムのブロック図である。システム６７０は、生体認証を組み込んだ販売時点情報管理システムとして構成される。販売時点情報管理システム６７０は、現金及びクレジットカードを受理するレジ又は自動セルフレジ支払いステーションなどの支払い機又は支払い装置６７２と、仮想機関又は物理的な実在する設備とすることができる金融機関６８２に接続する、無線又は有線とすることができる通信ネットワーク６７４とを含む。販売時点情報管理システム６７０は、生体検証装置６７６をさらに含む。生体検証装置６７６は、指紋スキャナ６７８と入力キーパッド６８０とを含む。ユーザは、上述した実施形態の場合と同様に、まず指紋スキャナ６７８上に指を置く。生体検証装置６７６がユーザを識別すると、入力キーパッド６８０が作動する。例示的な実施形態では、入力キーパッド６８０が、ディスプレイとしても機能するタッチ感知面６８４を含む。図４６の例示的な実施形態では、タッチ感知面／ディスプレイ６８４が作動すると、４つの形状６８６が現れる。ユーザは、例えば通常動作に対応する順番で１又は２以上の形にタッチする。生体認証又は検証装置６７６がユーザを認証できて、動作が通常機能モード、正常機能モード又は完全機能モードである場合、販売時点情報管理システム６７０は、通信ネットワーク６７４を介して金融機関６８２と通信して、購入のために資金を利用できることを確認する。
【００６１】
図４８〜図５１は、全体を７００で示す本開示の例示的な実施形態による検証装置の図である。生体検証装置７００は、指紋スキャナ７０２を含む。本明細書に示すいくつかの実施形態で説明したように指紋を使用した後にキーパッドを介して入力を行うのとは対照的に、生体検証装置７００の動作方法は、指の順序又はスキャンする特定の指によって決まる。例えば、図４９に示すように人差し指７０４がスキャンされると、検証装置７００は、本明細書の他の箇所で説明したアラートモードと同様に機能できるアラートモードを作動させる。別の例では、図５０に示すように中指７０６がスキャンされると、検証装置７００は、本明細書の他の箇所で説明した通常動作モード、正常動作モード又は完全機能動作モードと同様に動作できる通常動作モード、正常動作モード又は完全機能動作モードを作動させる。さらに別の例では、図５１に示すように薬指７０８がスキャンされると、検証装置７００は、本明細書の他の箇所で説明した制限機能モードと同様に動作できる制限機能モードを作動させる。５本の指のいずれかを単独で又は組み合わせて使用することができ、例えば人差し指７０４の後に薬指７０８を使用して特定の動作を示し、或いは中指７０６の後に人差し指７０４を使用して別の動作を示すこともできると理解されたい。また、指の組み合わせは、一方又は両方の手の指を含むと理解されたい。
【００６２】
人間の顔は一意的な識別をもたらすことができ、従って識別のための生体入力として使用することができる。図５２〜図５４は、全体を７２０で示す、本開示の例示的な実施形態による、顔認識及び顔の表情の組み合わせに依拠する顔識別及び表情認識装置の図である。生体認証装置７２０は、顔７２４の画像を取得するためのカメラ７２２又はその他の同様の装置を含む。顔の表情は、それぞれが所定の又は予め定めた動作モードに対応する、例えば図５３に示すようなしかめ面、及び図５４に示すような微笑を含むことができる。例示的な実施形態では、図５２に示すようなリラックスした表情又は無表情がアラートモードを示すことができ、図５３に示すようなアヒルの（ｄｕｃｋ）表情又は怒った表情が通常動作モード、正常動作モード又は完全機能動作モードを示すことができ、図５４に示すような微笑んだ顔が制限機能モードを示すことができる。これらの各モードは、本明細書の他の箇所で説明した通りとすることができる。生体認証装置７２０は、襲撃者が顔の表情を認識するのを避けるために、通常モード、アラートモード及び制限機能モードに関連する顔の表情を示す電子メール又はテキストを毎日、毎週、毎月などの所定の間隔でユーザに送信する自動コンピュータシステムを含むことができる。生体認証装置７２０には、追加のカメラ（図示せず）及びソフトウェアを組み込んで、しかめ面などの他の表情を識別するように適合させることもできる。
【００６３】
図５５〜図６０は、全体を７３０で示す本開示の例示的な実施形態による検証装置、及びこの検証装置を組み込んだシステムの図である。検証装置７３０は、指紋スキャナ７３２と入力キーパッド７３４とを含む。入力キーパッド７３４は、複数の感圧スイッチ又はボタン７３６を含む。検証装置７３０は、車両７３８内に位置し、１又は２以上の車両７３８システムと共に動作するように構成される。車両７３８を操作するには、まずユーザが指紋スキャナ７３２上に指７４０を置く。検証装置７３０がユーザを識別した後に、ユーザは、認証処理を完了するために１又は２以上の感圧入力７３６を作動させる。制限機能に対応するコードが入力された場合、本明細書の他の箇所で説明したプロセッサ４０６などのプロセッサを、図５８に示すような燃料計７４２上に偽の低燃料表示又は燃料ゼロ表示を示すように構成することができる。また、低燃料警告灯（図示せず）を作動させて、望ましくない乗客が潜在的に車両を放棄するように仕向けることもできる。また、プロセッサを、所定の間隔後に燃料ポンプを遮断し、又は燃料経路を通る流れを止めるようにプログラムすることもできる。例示的な実施形態では、車両７３８のドライバー又は乗客から見えない場所に位置する特殊なライト７４４を点灯させて、車両７３８が強奪中であり、又は誘拐が行われている旨を示すこともできる。上述した１又は２以上の実施形態と組み合わせることができる別の例示的な実施形態では、検証装置７３０に機能低減コードが入力されると、排気システム７４８内に取り付けられた弁７４６を閉じて、排気システム７４８からの排気の排出を遮断し、最終的には車両７３８のエンジンを止めて動作を停止させることができる。弁７４６は、車両７３８の性能が完全に止まるまでに徐々に悪化するようにゆっくりと閉鎖できることが明らかなはずである。
【００６４】
図６１は、全体を７７０で示す本開示の別の例示的な実施形態による検証装置の図である。検証装置７７０は、虹彩、網膜又は眼球スキャナ７７２と、装置本体７７６内に位置するデジタルカメラとすることができるカメラ７７４とを含む。従って、検証装置７７０は、眼球検証装置と見なすことができる。カメラ７７４を示しているが、本明細書の以下の説明からは、カメラ７７４を、赤外線スキャナ、モーションセンサ又は瞬きを識別するように構成された他の装置に置き換えることができると理解されるはずである。また、眼球検証装置７７０は、様々な動作モードを示すライトなどの、本明細書で説明した他の実施形態の特徴を含むこともできる。眼球検証装置７７０は、指紋検証装置の実施形態と同様に、ユーザの識別、すなわち身体識別を行う眼球、虹彩又は網膜スキャナ７７２を含み、身体が肯定的に識別されて、これをＬＥＤなどの光によって示すことができると、カメラ７７４を作動させて所定の期間にわたって眼をモニタする。この所定の期間中、ユーザは自発的に瞬きし、或いは自発的に完全に眼を閉じることが好ましい。例えば、通常動作モード、正常動作モード又は完全機能動作モードを開始するには、ユーザが、片方の眼７７８を立て続けに連続して、すなわち休みなく３回閉じることができる。アラートモード又は制限機能モードの場合、ユーザは、眼７７８を毎回５秒の間隔を空けて４回閉じることができる。眼球検証装置７７０は、ユーザの（単複の）瞬きコードを識別し、他の実施形態において開示したように金庫を開けてから警察に通報するまで命令を与えるように構成される。別の実施形態では、プロセッサ又はコントローラに結合されて所定の期間内の動きを識別するように適合されたモーションセンサを同様に使用することができる。同様に、赤外線画像検出器を、時間に伴う温度の変化を識別するように適合させることもでき、この実施形態では、顔の、特に眼の基準熱画像が捕捉される。眼球の角膜は特異的な温度を有し、眼を閉じる（すなわち、瞬きする）と角膜の熱画像が消えて、閉眼又は瞬きを示す。プロセッサ又はコントローラに結合された赤外線検出機は、一定期間内における熱画像の変化を識別するように適合され、指紋検証装置と同様に命令を与える。
【００６５】
上述した適当な実施形態では、数字タッチ画面又はキーパッドを生体装置と組み合わせることができると理解されたい。この別の実施形態では、指紋がスキャンされると数字キーパッドが作動して、３つのコードが３つのモードを表す。例えば、本開示の原理によれば、数字の１１の押圧が通常動作、正常動作又は完全機能動作を示し、数字の５の押圧がアラートモードを示し、数字の８の押圧が制限機能を示す。さらに、一例として１桁の数字を使用しているが、各コードに２桁又は３桁以上の数字を使用することもできると理解されたい。
【００６６】
また、生体装置を含まない数字タッチ画面又はキーパッドを認可装置として使用することもでき、この別の実施形態では、３つのコードが３つのモードを表すと理解されたい。例えば、本開示の原理によれば、１と３の押圧が通常動作、正常動作又は完全機能動作を示し、５のみの押圧がアラートモードを示し、７と８の押圧が制限機能モードを示す。
【００６７】
さらに、ＩＤカードと指紋スキャンの組み合わせを使用することもでき、識別イベントの順番によって特定のモードが作動すると理解されたい。一例として、ユーザが最初にリーダにＩＤカードを挿入し、次に指紋をスキャンした後に再びカードをスキャンした場合には通常動作を示すが、ユーザが最初に指を置いた後にＩＤカードを挿入した場合にはアラートモードを示し、ユーザがＩＤカードを２回スキャンした場合には制限機能モードが作動する。
【００６８】
本明細書に開示した特定の実施形態では、圧力センサについて説明したが、圧力センサの代わりに、圧力レベルを測定する能力はないが、他のセンサを使用できることも明らかなはずである。例えば、モーションセンサは、身体部分の動きを示すことができ、或いは光センサは、身体部分が入力の遮断及び遮断解除を行うことによって生じる光レベルを検出することができる。圧力センサが圧電型センサを含み得ることも明らかなはずである。従って、人間の入力を測定し又は受け取ることができるセンサ及び生体装置のあらゆる組み合わせが本発明の範囲に含まれる。
【００６９】
検証及び認証が拒否された場合には、カメラ含む実施形態を、無許可のユーザの画像を取得するように構成できることも明らかなはずである。
【００７０】
本開示の様々な実施形態を図示し説明したが、これらの実施形態は、これらの図及び説明に限定されるものではないと理解されたい。当業者であれば、これらの実施形態を変更し、修正し、さらに応用することができる。従って、これらの実施形態は、上記で図示し説明した詳細に限定されるものではなく、全てのこのような変更及び修正も含む。
【符号の説明】
【００７１】
１０  検証装置
１２  指紋センサパッド
１４  圧力センサ
１６  肯定的検証インジケータ
１８  未確認検証インジケータ
２０  否定的検証インジケータ
【図１】
2018515830.tif 000003
【図２】
2018515830.tif 000004
【図３】
2018515830.tif 000005
【図４】
2018515830.tif 000006
【図５】
2018515830.tif 000007
【図６】
2018515830.tif 000008
【図７】
2018515830.tif 000009
【図８】
2018515830.tif 000010
【図９】
2018515830.tif 000011
【図１０】
2018515830.tif 000012
【図１１】
2018515830.tif 000013
【図１２】
2018515830.tif 000014
【図１３】
2018515830.tif 000015
【図１４】
2018515830.tif 000016
【図１５】
2018515830.tif 000017
【図１６】
2018515830.tif 000018
【図１７】
2018515830.tif 000019
【図１８】
2018515830.tif 000020
【図１９】
2018515830.tif 000021
【図２０】
2018515830.tif 000022
【図２１】
2018515830.tif 000023
【図２２】
2018515830.tif 000024
【図２３】
2018515830.tif 000025
【図２４】
2018515830.tif 000026
【図２５】
2018515830.tif 000027
【図２６】
2018515830.tif 000028
【図２７】
2018515830.tif 000029
【図２８】
2018515830.tif 000030
【図２９】
2018515830.tif 000031
【図３０】
2018515830.tif 000032
【図３１】
2018515830.tif 000033
【図３２】
2018515830.tif 000034
【図３３】
2018515830.tif 000035
【図３４】
2018515830.tif 000036
【図３５】
2018515830.tif 000037
【図３６】
2018515830.tif 000038
【図３７】
2018515830.tif 000039
【図３８】
2018515830.tif 000040
【図３９】
2018515830.tif 000041
【図４０】
2018515830.tif 000042
【図４１】
2018515830.tif 000043
【図４２】
2018515830.tif 000044
【図４３】
2018515830.tif 000045
【図４４】
2018515830.tif 000046
【図４５】
2018515830.tif 000047
【図４６】
2018515830.tif 000048
【図４７】
2018515830.tif 000049
【図４８】
2018515830.tif 000050
【図４９】
2018515830.tif 000051
【図５０】
2018515830.tif 000052
【図５１】
2018515830.tif 000053
【図５２】
2018515830.tif 000054
【図５３】
2018515830.tif 000055
【図５４】
2018515830.tif 000056
【図５５】
2018515830.tif 000057
【図５６】
2018515830.tif 000058
【図５７】
2018515830.tif 000059
【図５８】
2018515830.tif 000060
【図５９】
2018515830.tif 000061
【図６０】
2018515830.tif 000062
【図６１】
2018515830.tif 000063
【国際調査報告】
2018515830.tif 000064
2018515830.tif 000065
2018515830.tif 000066